(57)【要約】      （修正有）【課題】壁等への取り付け使用する歯ブラシを収納、保持するホルダーであって、構造が簡単で歯ブラシの収納やホルダーからの取り外しが簡単に行ない得るようにする。【解決手段】壁等に取り付けるための背面部１ａと、歯ブラシ支持用の溝を有する底面部１ｂとを少なくとも有し、断面形状がＤの字状、Ｌの字状あるいはコの字状をしたホルダー本体１を備え、歯ブラシの柄の部分を歯ブラシ支持用の溝２に挿入して歯ブラシを保持するようにした。【選択図】図１
0003116652.tif 000002
【実用新案登録請求の範囲】
【請求項１】
壁等に取り付ける背面部と歯ブラシの柄を挿入し保持するための歯ブラシ支持用の溝を有する底面部とを少なくとも有していて、断面形状が全体としてほぼＤの字状又はＬの字状あるいはコの字状をしたホルダー本体を備えた歯ブラシホルダー。
【請求項２】
前記ホルダー本体が左右に開口を有する断面形状がＤの字状をなし、前記歯ブラシ支持用の溝が前記の左右の開口を結ぶ方向に形成された構成で、歯ブラシの柄の部分を左又は右の開口部分より前記歯ブラシ支持用の溝に挿入又は溝より取り出すことにより歯ブラシの保持又は取り外しを行なうようにした請求項１の歯ブラシホルダー。
【請求項３】
前記ホルダー本体が背面部と、背面部に対し直角に伸びる歯ブラシ支持用の溝を有する底面部と上面部よりなる断面形状がほぼコの字状をなし、コの字状の前記ホルダー本体を覆う開閉可能なカバーを更に備え、前記カバーを開いて歯ブラシをその柄の部分を前記溝を利用して挿入し又は保持された歯ブラシを溝より取り外すことにより、歯ブラシの保持又は取り外し操作を行ない得るようにした請求項１の歯ブラシホルダー。
【請求項４】
前記カバーが夫々左右に開く二つのカバーよりなり、前記底面部に形成された歯ブラシ支持用の溝が前記背面部に対し直角方向に伸びる構成であって、前記カバーを左右に開いた上で歯ブラシを前記溝に挿入あるいは溝から取り外すようにした請求項３の歯ブラシホルダー。
【請求項５】
前記各カバーに突起部を設け、カバーが開かれた状態にて歯ブラシを前記歯ブラシ支持用の溝に挿入することにより歯ブラシが前記カバーに設けられた突起を押すことによりカバーが閉じるようにした請求項４の歯ブラシホルダー。
【請求項６】
前記ホルダー本体が背面部と底面部よりなる断面Ｌの字状であり、前面部と両側面部とを有する箱状をなし、前記背面部に開閉可能に取り付けられたカバーを更に備え、前記カバーを開いた状態にて歯ブラシを前記底面部に形成された歯ブラシ支持用の溝に挿入あるいは溝より取り出すようにした請求項１の歯ブラシホルダー。
【請求項７】
前記歯ブラシ本体が背面部と底面部とよりなる断面がＬの字状をなし、更に両側面部を一体にした構成で、前記歯ブラシ本体の前面と上面を覆い前記背面板に開閉可能に取り付けられたカバーを更に備え、前記カバーを開いて歯ブラシを前記底面部に形成された歯ブラシ支持用の溝に挿入又は溝から取り外すようにした請求項１の歯ブラシホルダー。
【請求項８】
前記カバーがその内側に形成された仕切り板を有し、前記カバーと前記仕切り板との間に歯ブラシを挿入した上で前記歯ブラシの挿入又は取り出す操作と同時にカバーの開閉を行ない得るようにした請求項７の歯ブラシホルダー。
【考案の詳細な説明】
【技術分野】
【０００１】
本考案は、歯ブラシを収納し保持するための歯ブラシホルダーに関するものである。
【背景技術】
【０００２】
一つ一つの歯ブラシを収納し、壁等に掛けて保持するホルダーは、ほとんど知られておらず、特に歯ブラシを簡単に収納または取り外し得る歯ブラシホルダーは知られていない。
【考案の開示】
【考案が解決しようとする課題】
【０００３】
本考案は、壁等の適宜な場所に取り付けが可能なホルダーで、特に歯ブラシの収納、取り出しの操作が簡単であって、衛生上も好ましい構成の歯ブラシホルダーを提供するものである。
【課題を解決するための手段】
【０００４】
本考案の歯ブラシホルダーは、吸着板等の取り付け手段を設けた背面部と歯ブラシを掛けて保持するための歯ブラシ支持用の溝を有する底面部とを少なくとも有しており、その断面形状が全体としてほぼＤの字又はＬの字あるいはコの字状をしているホルダー本体を備えた構成である。
【０００５】
このように、本考案の歯ブラシホルダーは、背面部に吸着板を設けたことにより、使用し易い適宜な場所への設置が可能であり、又、底面部に歯ブラシ支持用の溝を設けることにより、この溝を利用した歯ブラシの取り付けや取り外しの操作が極めて簡単になる。
【０００６】
しかも、ホルダー本体の断面形状が全体としてＤの字状、Ｌの字状、コの字状になるようにすることにより、次に述べる各構成のホルダーのように、衛生上好ましい形状、構造であって、しかも操作が極めて簡単なホルダーになし得る。    特に、本考案の歯ブラシホルダーは、前記の構成をその基本構成として、次に述べるような更に具体的な構成にすることがより望ましい。
【０００７】
本考案の歯ブラシホルダーの第１の構成は、背面部と底面部とを含み、更に前面部と上面部とを有する全体としてその断面形状がＤの字状をなし、左右に開口を有する構成であって、底面部に左右の開口を結ぶ方向に伸びる歯ブラシ支持用の溝を有するものである。
【０００８】
この歯ブラシホルダーは、背面部に設けた吸着板等により、例えば壁に吸着固定した上で、左右いずれかの開口より歯ブラシをその柄の部分を前記の溝に挿入することにより保持し得る。同様に、歯ブラシを取り外しこれを使用する時は、柄の部分を前記溝より抜き取ることにより取り外し可能である。
【０００９】
このホルダー本体の断面形状がＤの字状をした本考案の歯ブラシホルダーは、ホルダー本体の前面部等によりブラシ部分が覆われるため、このブラシ部分が外部より直接触れることなく、衛生上も好ましい。また、左右の開口のいずれかを利用して、歯ブラシの保持又は取り外しを簡単に行ない得る。
【００１０】
本考案の歯ブラシホルダーの他の第２の構成は、ホルダー本体が背面部と底面部のほかに上面部を有するほぼコの字状をした断面形状のもので、このほぼコの字状をしたホルダー本体の前面等に開閉可能なカバーを設けたものである。そして、歯ブラシ支持用の溝は例えば背面部に対し直角方向に伸びるように底面部に形成されている。
【００１１】
この第２の構成は、カバーを開いた上で前記の溝を利用して歯ブラシを掛け、その後カバーを閉じて歯ブラシを保持する。又、歯ブラシを使用する時は、カバーを開いて取り出せばよい。
【００１２】
この第２の構成の歯ブラシホルダーは、ホルダー全体をほぼコの字状とし、その開かれた部分を開閉可能なカバーにて覆った形状であるため、歯ブラシのブラシの部分のほぼ全体をホルダー本体とカバーにて覆うことになり、衛生上より好ましい。
【００１３】
又、この第２の構成の歯ブラシホルダーにおいて、カバーは左右二つのカバーにて構成してもよい。その場合、夫々のカバーに後に示す実施例のように、突起部を形成することにより、歯ブラシの柄の部分を前記の溝に挿入する際に歯ブラシが突起部を押し、これによりカバーが閉じるようにすることができる。
【００１４】
これにより、歯ブラシの取り付け、取り外しの操作が一層簡単になる。
【００１５】
本考案の歯ブラシホルダーの第３の構成は、ホルダー本体が背面部とこの背面部に対してほぼ直角に伸びる底面部とよりなるＬの字状にしたものである。そして、底面部に歯ブラシ支持用の溝を形成した例である。そしてこの第３の構成の歯ブラシホルダーは、ホルダー本体に対し前面部分（上側も覆う一体形状とすることが望ましい）と両側面とを覆うカバーを開閉可能に設けたものである。そして、カバーを開くことにより前記の溝を利用して歯ブラシの出し入れを行なうようにしている。
【００１６】
この第３の構成の歯ブラシホルダーも、歯ブラシを収納してカバーを閉じた状態では、ホルダー本体とカバーとにより、ブラシ部分をほぼ完全に覆うことになり、衛生上好ましい。
【００１７】
本考案の歯ブラシホルダーの第４の構成は、第３の構成のように、背面部と底面部とよりなる断面形状がＬの字状のホルダー本体を基本とするもので、これに更に両側面部分を加えることにより、ホルダー本体をケース状にしたものである。
【００１８】
それにより、カバーはホルダー本体の前面部分の開口を覆う簡単な形状のものになっている。
【００１９】
そして、第３の構成と同様にカバーを開くことにより歯ブラシの出し入れを行なえばよい。
【００２０】
この第４の構成の歯ブラシホルダーにおいて、カバーの内側にカバーより伸びる仕切り板を設けることにより、歯ブラシの収納、取り外しが一層簡単になる。
【００２１】
つまり、後に実施例にて具体的に説明するように、カバーを開いた状態にてカバーと仕切り板との間に歯ブラシのブラシ部分を挿入して柄の部分を底面部に形成されている支持用の溝に挿入すれば、同時にカバーを閉じることができる。逆に歯ブラシホルダーに収納されている歯ブラシの柄の部分を前記溝より取り外す方向に移動させることによって、カバーは歯ブラシにより開き、歯ブラシを抜き取ることが可能である。
【００２２】
以上述べたように、本考案の歯ブラシホルダーは、いずれの構成も衛生上好ましい構成であって、歯ブラシの収納や取り外しのための操作が極めて簡単である。
【考案の効果】
【００２３】
本考案は、簡単な形状のホルダーであって、歯ブラシを収納し保持するための操作および収納された歯ブラシを取り出す操作が極めて簡単である。
【考案を実施するための最良の形態】
【００２４】
本考案の歯ブラシホルダーの実施の形態を説明する。
【実施例１】
【００２５】
図１は本考案の歯ブラシホルダーの実施例１を示す図で、（Ａ）は側面図、（Ｂ）は正面図、（Ｃ）は使用状態を説明するための斜視図である。
【００２６】
この実施例１は、第１の構成に対応する実施例で、図１において１はホルダー本体であって、背面部１ａと底面部１ｂと前面部１ｃと上面部１ｄを一体にしてその断面形状をほぼＤの字状に連続させた形状である。そのうちの底面部１ｂにあたる部分に歯ブラシを保持するために設けられた歯ブラシ支持用の溝２が形成されている。
【００２７】
この実施例１の歯ブラシホルダーは、背面部１ａに吸着盤９を設けてあり、この吸着盤９を利用して適宜な場所に固定して使用する。
【００２８】
この実施例１の歯ブラシホルダーは、壁面等に固定した状態にて、図１の（Ｃ）に示すように歯ブラシ１０の柄１０ｂの部分を左右開口のいずれかより溝２に挿入し、溝２の中央付近に保持する。又、歯ブラシ１０を使用する場合、溝２に沿って左右いずれかの開口より取り出せばよい。
【００２９】
この実施例１の歯ブラシホルダーは、図１に示すような簡単な構造で、しかも前記のように溝２への挿入または溝２からの取り外しによって、収納または使用するための取り出しを行なうことができ極めて簡単な操作にて利用し得る。
【００３０】
また、収納時は、ブラシが中央部に位置し、特に前面部に覆われるためブラシに触れることなく、衛生上好ましい構成である。
【実施例２】
【００３１】
図２は本考案の歯ブラシホルダーの実施例２を示す図で、（Ａ）は正面図、（Ｂ）は側面図、（Ｃ）、（Ｄ）は水平方向の断面図、（Ｅ）は斜視図、（Ｆ）、（Ｇ）は使用時の斜視図である。
【００３２】
この実施例２の歯ブラシホルダーは、本考案の第２の構成に対応する実施例である。
【００３３】
この図２において、１１はホルダー本体で、背面部１１ａと底面部１１ｂと上面部１１ｃとを一体にしたほぼコの字状をしている。そして、ホルダー本体１１の底面部１１ｂには歯ブラシ支持用の溝１２が形成されている。
【００３４】
また、１３、１４は夫々底面部１１ｂと上面部１１ｃに軸１７、１８を中心に回動させて開閉可能に保持したカバーである。また、このカバー１３、１４の軸１７、１８の近くには突起１５、１６が形成されている。この突起１５、１６により、図２の（Ｇ）に示すように、歯ブラシ１０が溝１２に沿って押し込まれた時、歯ブラシ１０が突起１５、１６を押し、これによりカバー１３、１４が閉じられる。
【００３５】
この実施例２の歯ブラシホルダーは、以上述べたように図２の（Ｇ）に示すようなカバー１３、１４が開かれた状態で、歯ブラシ１０の柄１０ｂの部分を底面部１１ｂの溝１２に挿入して内部に押し込むと、歯ブラシ１０が突起１５、１６を押して左右のカバーは閉じ図２の（Ｆ）に示すようになる。
【００３６】
逆に図２の（Ｆ）に示す状態において、歯ブラシ１０の柄１０ｂを引くとこの柄１０ｂによりカバー１３、１４が開かれ、歯ブラシを取り出すことができる。
【００３７】
この本考案の第２の構成である実施例２の歯ブラシホルダーは、図２の（Ｆ）に示すように、歯ブラシ１０のブラシ部分１０ａはほぼ完全に覆われるため、衛生上一層好ましい構成である。
【００３８】
また、歯ブラシの収納や取り出しの操作も、柄の部分を持っての歯ブラシ支持用の溝への挿入、引き抜きによりカバーの開閉が同時に行なわれるために、極めて簡単である。
【実施例３】
【００３９】
図３は本考案の歯ブラシホルダーの実施例３を示す図で、（Ａ）は正面図、（Ｂ）は側面図、（Ｃ）は斜視図、（Ｄ）は歯ブラシが収納、保持されている状態を示す側面図、（Ｅ）は歯ブラシを引き出す手段を示す図である。
【００４０】
この図３に示す実施例３は、歯ブラシホルダー２１が背面部２１ａと底面部２１ｂとよりなり、その断面形状がほぼＬ字状をなす。そして、底面部には背面部に対し直角方向に伸びる歯ブラシ支持用の溝２２が形成されている。つまりこの実施例３は、本考案の歯ブラシホルダーの第３の構成に対応する実施例である。
【００４１】
この実施例３は、図３の（Ｂ）、（Ｃ）より明らかなように、前記の断面Ｌ字状の歯ブラシ本体に、前面部２３ａ、左側面部２３ｂ、右側面部２３ｃよりなるケース状（箱状）のカバー２３が軸２４にて回動可能に取り付けられた構成の歯ブラシホルダーである。
【００４２】
この実施例３の歯ブラシホルダーは、背面部に取り付けられた吸着盤９により壁等に配置して使用する。つまり、カバー２３を上方に開いた状態にて歯ブラシの柄の部分を底面盤２１ｂに形成された溝２２に挿入し保持した上でカバー２３を閉じて、図３の（Ｄ）に示すように収納、保持する。
【００４３】
また、歯ブラシを使用する際には、図３の（Ｅ）に示すように、歯ブラシ１０を溝２２より抜き取るようにすることによりカバー２３が開き、カバー２３より歯ブラシを引き出せばよい。
【００４４】
この実施例３の歯ブラシホルダーも、図３の（Ｄ）に示すように、歯ブラシ１０のブラシ部分は、断面Ｌの字状のホルダー本体２１とカバー２３とによりほぼ完全に覆われるため衛生上好ましい。また、収納や取り外しの操作も極めて簡単である。
【実施例４】
【００４５】
図４は本考案の歯ブラシホルダーの実施例４を示す図で、（Ａ）は正面図、（Ｂ）は側面図、（Ｃ）は斜視図、（Ｄ）、（Ｅ）は使用状態を示す断面図でそのうちの（Ｄ）は歯ブラシを収納、保持した状態、（Ｅ）はホルダーより歯ブラシを引き出す状態を示す。
【００４６】
この実施例４は図４に示すように、ホルダー本体が背面部３１ａと底面部３１ｂとにてその断面形状がほぼＬの字状をなし、実施例３と同様の形状である。しかしこのホルダー本体は、Ｌの字状をなす背面部３１ａと底面部３１ｂに加えて、左側面部３１ｃと右側面部３１ｄを有し、全体としてケース状（箱状）である点で実施例３と相違する。つまりこの実施例３は、本考案の歯ブラシホルダーの第４の構成に対応する。
【００４７】
そのため、カバー３２は軸３４にて回動可能に取り付けられた１枚の湾曲した板状であり、この点も実施例３と相違する。
【００４８】
更に、この実施例４は、湾曲したカバーの内側に仕切り板３３を設けたことを特徴とする。これにより、歯ブラシの収納のためと取り出しのための操作を一層簡単に行ない得るようにしている。
【００４９】
つまり、図４の（Ｅ）に示すカバーが開いた状態において歯ブラシ１０をカバー３２と仕切り板３３の間の空間内に挿入し、その上で歯ブラシ１０の柄１０ｂ部分を歯ブラシ支持用の溝に挿入するように移動すれば同時にカバー３２も移動して、図４の（Ｄ）に示すようにカバーが閉じた状態にて歯ブラシは保持される。
【００５０】
尚、歯ブラシ支持用の溝は、図４には示されていないが、実施例３等と同様に、ホルダー本体の底面部に背面部に対して直角な方向に伸びるように形成されている。
【００５１】
次に、歯ブラシ１０を歯ブラシホルダーより取り出す場合は、図４の（Ｄ）の状態より、歯ブラシの柄１０ｂの部分を斜め上方に移動させることにより、歯ブラシを溝より引き出すと同時に、カバーを開き、（Ｅ）に示す状態になり、カバー３２と仕切り板３３の間より歯ブラシ１０を引き出すことが可能になる。
【００５２】
この実施例４の歯ブラシホルダーも、実施例３等と同様に、歯ブラシ収納時は、ブラシ部分がほぼ完全に覆われるため、衛生上好ましい。
【００５３】
更に、歯ブラシの収納、取り外しのための操作は、実施例３より更に簡単になる。
【実施例５】
【００５４】
図５は本考案の実施例５の歯ブラシホルダーを示す図で、（Ａ）は正面図、（Ｂ）は側面図、（Ｃ）は斜視図、（Ｄ）、（Ｅ）は使用状態を示す断面図である。
【００５５】
この実施例５は、実施例４と同様にホルダー本体４１が背面部４１ａと底面部４１ｂとよりなる断面がＬの字状をなしていることを基本構成としている。そして、この実際例５は、ホルダー本体が背面部４１ａと底面部４１ｂと左右の両側面部４１ｃとにより構成されている。一方、カバー４２は前面部４２ａと上面部４２ｂとにて構成されており、断面形状がＬの字状をしている。そして、断面Ｌの字状をしたカバーの上面部４２ｂをホルダー本体４１に軸４３にて回動可能に取り付け、これによりホルダー本体に対しカバーを開閉可能とし、カバーを閉じた時にホルダー本体とカバーとにより中央の空間部分をほぼ完全に覆う構成にしてある。
【００５６】
この実施例５は、図５の（Ｄ）に示すように、歯ブラシ１０の柄１０ｂの部分を図示していない歯ブラシ支持用の溝に挿入して収納、保持する。
【００５７】
尚、歯ブラシ支持用の溝は、他の実施例３等と同様に底面部に背面部と直角に伸びる方向に設けられている。
【００５８】
また、図５の（Ｅ）に示すように、歯ブラシ１０を歯ブラシ支持用の溝に沿って移動させて、この溝より抜き取ることによりホルダーより取り外すことができる。その際カバー４２は、歯ブラシの移動により開かれるため、取り外しには支障がない。
【００５９】
この実施例５の歯ブラシホルダーも、断面Ｌの字状で側面部または上面部を有するホルダー本体とカバーとによって、歯ブラシ１０のブラシ１０ａの部分が完全に覆われるため、衛生上好ましい。
【００６０】
また、歯ブラシ収納、保持や取り外しの操作は、他の実施例同様に極めて簡単である。
【産業上の利用可能性】
【００６１】
本考案の歯ブラシホルダーは、歯ブラシを使用する場所で、望ましい壁面等に取り付けて用いるもので、ホルダーへの収納、保持や歯ブラシを使用する時のホルダーよりの取り外しが簡単な構成である。
【図面の簡単な説明】
【００６２】
【図１】本考案の実施例１を示す図
【図２】本考案の実施例２を示す図
【図３】本考案の実施例３を示す図
【図４】本考案の実施例４を示す図
【図５】本考案の実施例５を示す図
【符号の説明】
【００６３】
１、１１、２１、３１、４１      ホルダー本体
２、１２、２２                  歯ブラシ支持用の溝
３                              カバー
【図１】
0003116652.tif 000003
【図２】
0003116652.tif 000004
【図３】
0003116652.tif 000005
【図４】
0003116652.tif 000006
【図５】
0003116652.tif 000007